Podtech/llm-jp-corpus-v4-ja_patent huggingface dataset:
(57)【要約】      （修正有）【課題】眼鏡レンズに直接貼り付けても気泡やしわの発生や、貼り付け後に浮きが生じることのない眼鏡用サングラスフィルムを提供する。。【解決手段】眼鏡用サングラスとする透明有色プラスチックで構成された眼鏡形状のフィルム本体の眼鏡レンズ５の凸部頂点に相当する２カ所に、粘着剤３を部分的に塗布し、眼鏡４の眼鏡レンズ５の凸部頂点付近に貼り付けるようにして眼鏡用サングラスフィルム１を形成する。眼鏡レンズ全面に貼り付けることが無いため、貼り付ける際に気泡やしわの発生や、貼り付け後に浮きが生じることもない。装着方法も簡便である。【選択図】図２
0003166028.tif 000002
【実用新案登録請求の範囲】
【請求項１】
透明有色プラスチックで構成された眼鏡形状のフィルム本体２において、眼鏡レンズ５の凸部頂点に相当する２カ所に、粘着剤３を部分的に塗布し、眼鏡４の眼鏡レンズ５の凸部頂点付近に貼り付けて眼鏡４に装着できるようにしたことを特徴とする眼鏡用サングラスフィルム。
【請求項２】
前記粘着剤３を直径１０ｍｍから３０ｍｍの略円形に塗布したことを特徴とする、請求項１に記載の眼鏡用サングラスフィルム。
【考案の詳細な説明】
【技術分野】
【０００１】  本考案は、眼鏡に装着することにより、サングラスとして使用するための眼鏡用サングラスフィルムに関する。
【背景技術】
【０００２】  常時、眼鏡を着用している人がサングラスを使用する時には、度付きサングラスを購入し、都度眼鏡を掛け替える必要があり、煩雑であった。眼鏡に透明硬質有色プラスチックフィルムを金属フックで固定する補助具が市販されているが、比較的高価格であり、眼鏡が重くなる等の問題がある。
補助具の代替として、粘着剤を塗布した透明有色プラスチックフィルムを眼鏡レンズの全面に貼り付ける方法、（特許文献１，２，３参照）が提示されている。又、眼鏡形状の上部及び下部に粘着剤を塗布した透明有色プラスチックフィルム（特許文献４参照）や、透明有色プラスチックフィルムの左右に粘着剤を塗布した摘み片を備えて、眼鏡の智に貼り付けて固定する方法も提示されている（特許文献５参照）。
【先行技術文献】
【特許文献】
【０００３】
【特許文献１】特開２００１−３４３６１７
【特許文献２】実開平５−９４８２１
【特許文献３】特開２００４−１２６３６９
【特許文献４】実用新案登録第３０５３７６７号
【特許文献５】実用新案登録第３１２７４７３号
【考案の概要】
【考案が解決しようとする課題】
【０００４】  眼鏡レンズ全面に直接フィルムを貼り付ける場合は、眼鏡レンズが曲面であるため、透明有色プラスチックフィルムを貼り付けた際に気泡、しわが発生したり、貼り付け後に透明有色プラスチックフィルムの浮きが発生する問題があった。また特許文献３に提示している、眼鏡レンズの凸面に合う形状を備えた透明有色プラスチックフィルムを貼り付ける方法では、眼鏡レンズの凸面に合わせるための工程が必要となり、経済性に劣る。【０００５】  眼鏡形状の上部及び下部に粘着剤を塗布した透明有色プラスチックフィルムや、眼鏡形状の透明有色プラスチックフィルムの左右に粘着剤を塗布した摘み片を備えた場合、眼鏡の大きさを考慮していないため汎用性に乏しい。また眼鏡と貼り合わせた面積が非常に小さく大きな接着力が得られ難く、透明有色プラスチックフィルムが眼鏡本体の曲面に沿った形で貼り付けられるため、フィルムの反発に粘着剤が耐えられずに、透明有色プラスチックフィルムが剥がれやすくなる問題がある。【０００６】  本考案は、眼鏡本体の曲面構造の影響を受けずに、眼鏡形状の透明有色プラスチックフィルムを眼鏡本体に装着しようとすることを目的とする。
【課題を解決するための手段】
【０００７】  透明有色プラスチックで構成された眼鏡形状のフィルム本体２において、眼鏡レンズ５の凸部頂点に相当する２カ所に粘着剤３を部分的に塗布し、眼鏡４の眼鏡レンズ５の凸部頂点付近に貼り付けるようにしたことを特徴とする眼鏡用サングラスフィルム。【０００８】  粘着剤３を直径１０ｍｍから３０ｍｍの略円形に塗布したことを特徴とする、眼鏡用サングラスフィルム
【考案の効果】
【０００９】  眼鏡レンズ全面に直接貼り付けることがないため、気泡、しわ、浮き等の問題はない。眼鏡レンズ５の凸部頂点付近に貼り合わせることにより、透明有色プラスチックフィルム本体の反発をほぼ無くすことができる。
【図面の簡単な説明】
【００１０】
【図１】  本考案にかかる眼鏡用サングラスフィルムの正面図である。
【図２】  本考案の眼鏡用サングラスフィルムを眼鏡に装着する方法の模式図である。
【図３】  本考案の眼鏡用サングラスフィルムを眼鏡に装着した様子を側面から見た模式図である。
【考案を実施するための形態】
【００１１】  以下、本考案の実用例を詳細に説明する。
図１は本考案にかかる眼鏡用サングラスフィルムの正面図である。
本考案の眼鏡用サングラスフィルム１は、フィルム本体２と眼鏡４の各眼鏡レンズ５の凸部頂点付近に相当する２カ所に塗布された粘着剤３からなる。フィルム本体２は、ポリエチレンテレフタレート、ポリカーボネート、ポリスチレン、ポリプロピレン、ポリ塩化ビニル、アクリル樹脂などの内、着色した透明フィルムで構成している。また無色透明なフィルム２枚を着色した粘着剤で貼り合わせたものや、金属蒸着を施して光線透過率を調整したフィルムを使用しても良い。フィルム本体２が薄すぎると作業性が悪くなり、フィルム本体２が厚すぎると剥がれ落ちる可能性がある。フィルム本体２のフィルム厚の好ましい範囲は２５ミクロンから２００ミクロンであり、最も好ましい範囲は５０ミクロンから１５０ミクロンである。フィルム本体２に紫外線カット機能や偏光機能等を付与することで、より付加価値のある眼鏡用サングラスフィルムが作成できる。
【００１２】  眼鏡用サングラスフィルム１の大きさ、形状は特定しない。フィルム本体２の眼鏡レンズ５に相当する箇所の中央付近に、左右対称で６ｃｍから８ｃｍの間隔で、粘着剤３が部分的に塗布されている。この部分的に塗布された粘着剤３の大きさは眼鏡４の曲面構造、視界阻害性を考慮すると直径１０ｍｍから３０ｍｍの略円形が望ましい。
【００１３】  粘着剤３は、アクリル系粘着剤、ゴム系粘着剤、シリコン系粘着剤、ポリウレタン系粘着剤等を用いているが、粘着剤は限定しない。粘着剤３の塗布方法としては、直接粘着剤を塗布する方法、或いは両面テープを貼り付ける方法等があるが、塗布方法は限定しない。
【００１４】  図２は本考案の眼鏡用サングラスフィルム１を眼鏡４に装着する方法の模式図である。
フィルム本体２を粘着剤３が塗布された２か所で、眼鏡４の眼鏡レンズ５の凸部頂点付近に貼り付ける。
図３は本考案の眼鏡用サングラスフィルム１を眼鏡４に装着した様子を側面から見た模式図である。
眼鏡４の眼鏡レンズ５の凸部頂点付近に貼り付けることにより、眼鏡４や眼鏡レンズ５の曲面構造の影響を受けることなく、眼鏡用サングラスフィルム１が装着できる。
【符号の説明】
【００１５】１  眼鏡用サングラスフィルム
２  フィルム本体
３  粘着剤
４  眼鏡
５  眼鏡レンズ
【図１】
0003166028.tif 000003
【図２】
0003166028.tif 000004
【図３】
0003166028.tif 000005
(57)【要約】      （修正有）【課題】ウォーターサーバーのボトル差込口の円柱状の差込棒にミネラルウォーターのボトルを差し込んだ状態での漏水を無くす漏水防止キットを提供する。【解決手段】ウォーターサーバーのボトル差込口の差込棒１にパッキン定位のためのパイプ２及び、パッキン３を取り付ける。その上部よりミネラルウォーターのボトルを差し込むと、ボトル端面４と差込棒１の両方にパッキン３が密着する。【選択図】図２
0003166483.tif 000002
【実用新案登録請求の範囲】
【請求項１】
ウォーターサーバーのボトル差込口の差込棒（１）にパッキン定位のためのパイプ（２）と、その上部にパッキン（３）を取り付けることにより漏水を防ぐ考案。
【考案の詳細な説明】
【技術分野】
【０００１】本考案は、飲料用ミネラルウォーターサーバーのボトル差込口での漏水を無くすることで、細菌類の繁殖を抑制し衛生面を向上させるウォーターサーバーに関するものである。
【背景技術】
【０００２】従来は、ボトル差込口の円柱状の差込棒（１）にミネラルウォーターのボトルを差し込んだ状態で、差込棒（１）とボトルの差込穴との間にわずかな隙間があるため漏水していた。
【先行技術文献】
【特許文献】
【０００３】
【特許文献１】特許第４３１７２５９号
【考案の概要】
【考案が解決しようとする課題】
【０００４】ウォーターサーバーの差込口での漏水を無くすること。及び、漏水により副次的に発生する下記の問題を解決する。
（イ）漏水し溜まった水に細菌類が繁殖するため衛生上よくない。
（ロ）漏水し水が溜まるためウォーターサーバーの手入れが大変である。
【課題を解決するための手段】
【０００５】漏水を無くする手段として、ウォーターサーバーのボトル差込口の差込棒（１）にパッキン定位のためのパイプ（２）と、その上部にパッキン（３）を取り付け、その上部よりミネラルウォーターのボトルを差し込んだとき、ボトル端面（４）と差込棒（１）の両方にパッキン（３）が密着し気密性が高くなり漏水しなくなる。
【考案の効果】
【０００６】本考案の有効性を確認するため、パッキン定位のためのパイプ（２）を製作しボトル差込口の差込棒（１）の上部よりパイプ（２）、パッキン（３）の順で取り付け、その上部よりミネラルウォーターのボトルを差し込み漏水テストを実施した。その結果、漏水は無かった。
これにより、本考案の有効性が確認できた。
【図面の簡単な説明】
【０００７】
【図１】本考案のボトル差込口の断面図
【図２】本考案のボトル差込口にミネラルウォーターのボトルを装着した断面図
【符号の説明】
【０００８】（１）差込棒
（２）パッキン定位のためのパイプ
（３）パッキン
（４）ボトル端面
【図１】
0003166483.tif 000003
【図２】
0003166483.tif 000004
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
ウォーターサーバーのボトル差込口の差込棒（１）に取り付けるパッキン定位のためのパイプ（２）とパッキン（３）を構成部品とする、ボトル端面（４）及び差込棒（１）にパッキン（３）が密着することによる気密性向上効果を利用した、ウォータサーバーのボトル差込口漏水防止キット。
(57)【要約】      （修正有）【課題】好みの位置でカーテンを束ねたり、たくし寄せ止めができ、形を植物や動物にすることにより、インテリア性に優れた、カーテン用マグネット付きタッセルを提供する。【解決手段】布又は、ビニール等の生地の中にわたを詰めた帯状又は、棒状の結束部材１の表面に、装飾部材２を設け、結束部材の裏面の両先端にマグネット４を設ける。又は、動物の人形の両前足の裏面の両先端にマグネットを設ける。使用に当たっては、好みの位置で、カーテンを束ねたり、少しだけカーテンを開けたい時には、カーテンをたくし寄せてマグネット部によりカーテンの内部でタッセルを止めたりができ、タッセルを植物形や動物形にすることにより、インテリア性に優れ見栄えがよくなる。マグネット付きタッセルにすることにより、ループ掛けを、両窓端に設ける必要性がなくなる。【選択図】図３
0003166489.tif 000002
【実用新案登録請求の範囲】
【請求項１】
布又は、ビニール等の生地の中にわたを詰めた帯状又は、棒状の結束部材の表面に装飾部材を設け、裏面の両先端にマグネットを設けたカーテン用マグネット付きタッセル。
【請求項２】
動物又は、人形の両前足の裏先端にマグネットを設けた請求項１記載のカーテン用マグネット付きタッセル。
【考案の詳細な説明】
【技術分野】
【０００１】本考案は、好みの位置でカーテンを束ねたり、たくし寄せ止めができ、形を植物や動物にすることにより、インテリア性に優れた、カーテン用マグネット付きタッセルに関するものである。
【背景技術】
【０００２】従来、両端にループが設けられた帯状などのタッセルで、カーテンを束ね、ループをタッセル掛けに、ひっかけていた。
【先行技術文献】
【０００３】
【実用新案文献１】
登録実用新案第３０５９３９０号公報
【実用新案文献２】
登録実用新案第３０２００３５号公報
【考案の概要】
【考案が解決しようとする課題】
【０００４】従来の両端にループが設けられた帯状等のタッセルは、窓の両端でカーテンを束ね、ループをタッセル掛けにひっかけていたが、カーテンを好みの位置で束ねたり、カーテンを少しだけ開けるのに、たくし寄せてカーテンを間に挟んだ状態で止めたりが出来ず、レイアウトを楽しむことが出来ないでいた。
【考案を解決するための手段】
【０００５】布又は、ビニール等の生地の中にわたを詰めた帯状又は、棒状の結束部材の表面に、装飾部材を設け、結束部材の裏面の両先端にマグネットを設ける。
又は、動物の人形の両前足の裏面の先端にマグネットを設ける。
以上の構成よりなるカーテン用マグネット付きタッセル。
【考案の効果】
【０００６】好みの位置で、カーテンを束ねたり、少しだけカーテンを開けたい時には、カーテンをたくし寄せてマグネット部によりカーテンの内部でタッセルを止めたりができ、タッセルを植物形や動物形にすることにより、インテリア性に優れ見栄えがよくなる。マグネット付きタッセルにすることにより、ループ掛けを、両窓端に設ける必要性がなくなる。
【図面の簡単な説明】
【０００７】
【図１】本考案（植物）の使用状態を示す斜視図
【図２】本考案（植物）の表面斜視図
【図３】本考案（植物）の裏面斜視図
【図４】本考案（動物）の斜視図
【図５】本考案（動物）の横面図
【考案を実施するための形態】
【０００８】  以下、本考案の実施の形態を説明する。
（イ）布又は、ビニール等の生地の中にわたを詰めた帯状又は、棒状によるなる結束部（１）の表面に、装飾部（２）を設け、結束部（１）の裏面の両先端に、薄手の生地（３）を覆い被せてマグネット（４）を設ける。
（ロ）動物の人形（５）の両前足（６）の裏先端に、薄手の生地（３）を覆い被せてマグネット（４）を設ける。
本考案は以上のような構造である。
本考案を使用するときは、結束部（１）又は、動物の人形（５）の両前足（６）でカーテンを束ねて両先端に設けられた２個のマグネット（４）を合わせて固定する。カーテンを少しだけ開けたい時には、結束部（１）又は、動物の人形（５）の両前足（６）でカーテンを挟みながら、たくし寄せてカーテン内部の好みの位置で、カーテンを挟んだ状態で先端のマグネット（４）を合わせて固定する。
【符号の説明】
【０００９】（１）結束部、（２）装飾部、（３）薄手の生地、
（４）マグネット、（５）動物の人形、（６）両前足
（Ａ）タッセル
【図１】
0003166489.tif 000003
【図２】
0003166489.tif 000004
【図３】
0003166489.tif 000005
【図４】
0003166489.tif 000006
【図５】
0003166489.tif 000007
(57)【要約】      （修正有）【課題】通常の一本の棒状の筆記具よりも筆記にかかる手の力を減らすことができ、長時間、低ストレスで筆記作業を行うことができるブランチグリップを提供する。【解決手段】筆記具本体２に枝のようにグリップ３を接続することにより机上での棒の握りやすさと筆記部１と筆記面との良好な接地を両立した。人間が机上で一本の棒を楽に持つことができる角度と、筆記部と筆記面との良好な接地角度を両立するために筆記具の筆記部先端から本体上部約１．５ｃｍの部位に筆記部から約１２０度の角度で枝のように別途グリップを接続させることにより解決した。【選択図】図１
0003166487.tif 000002
【実用新案登録請求の範囲】
【請求項１】
筆記用具の本体、筆記部近くにグリップを枝のように一本備えることによってあらゆる筆記用具の書き易さを向上させる、新しい筆記用具の構造。
【考案の詳細な説明】
【技術分野】
【０００１】本考案はあらゆる筆記用具の本体に枝状のグリップを取り付けることによって書き易さを向上させるものである。
【背景技術】
【０００２】現在のあらゆる筆記具は先端に筆記部を備えた一本の棒状である。
【考案の概要】
【考案が解決しようとする課題】
【０００３】人間が従来の一本の棒状の筆記具を机の上で使用する際、筆記部先端を机の面に垂直近くに立てる状態を保つために手の力を使い疲れていた。
【課題を解決するための手段】
【０００４】本考案は、人間が机上で一本の棒を楽に持つことができる角度と、筆記部と筆記面との良好な接地角度を両立するために筆記具の筆記部先端から本体上部約１．５ｃｍの部位に筆記部から約１２０度の角度で枝のように別途グリップを接続させることにより解決した。
【考案の効果】
【０００５】通常の一本の棒状の筆記具よりも筆記にかかる手の力を減らすことができた。よって長時間、低ストレスで筆記作業を行うことができる。
【図面の簡単な説明】
【０００６】
【図１】本考案に係る持ちやすさ、書き易さを向上させたブランチグリップ付きの筆記具の一例を示す側面図である。
【考案を実施するための形態】
【０００７】以下に、本考案に係る、持ちやすさ、書き易さを向上させたブランチグリップ付き筆記具の実施例を図１に基づいて説明する。図１において、１が筆記部先端。２が筆記具本体。３がブランチグリップ（にぎり）である。
【０００８】このブランチグリップ付きの筆記具は筆記部先端１から筆記具本体２上部にかけて約１．５ｃｍ４の部位にブランチグリップ３の中心点があり、筆記部先端１から見て約１２０度５の角度で筆記具本体２とブランチグリップ３が接続しているものとする。
【０００９】ブランチグリップは着脱式でも、可動して本体と一体になるものでもかまわない。またブランチグリップを本体に取り付ける際の数値を約１．５ｃｍ４、約１２０度５は本考案を実施するための一例にすぎず、本考案の本質は、筆記具本体に別途グリップが枝を生やしたように取りついているという形態、構造自体である。
【図１】
0003166487.tif 000003
(57)【要約】      （修正有）【課題】多くの水を吸収することができ、しかも吸水後でも湿った感じがなく、触感のよい吸水性生地を提供する。【解決手段】吸水性生地１は、第１外面層２と、第２外面層３と、第１外面層２と第２外面層３の間に設けられる中間層４を有し、第１外面層２と第２外面層３は綿のガーゼであり、中間層４は吸水性および拡散性の合成繊維の布である。【選択図】図１
0003166417.tif 000002
【実用新案登録請求の範囲】
【請求項１】
第１外面層と、第２外面層と、第１外面層と第２外面層の間に設けられる中間層を有し、第１外面層と第２外面層は綿のガーゼであり、中間層は吸水性および拡散性の合成繊維の布である吸水性生地。
【請求項２】
第１外面層と第２外面層はそれぞれ２層の綿のガーゼよりなり、中間層は拡散加工されたポリエステルのマイクロファイバーのパイル織物である請求項１に記載の吸水性生地。
【考案の詳細な説明】
【技術分野】
【０００１】
この考案は、ハンカチやタオルなどの身の回り品、あるいはタオルケットなどに使用することができる吸水性生地に関する。
【背景技術】
【０００２】
タオル織物などに使用される綿糸は、素材自体が吸水性を有する。しかし、吸われた水分は同じ場所に長時間とどまるので、その部分に触れると、使用者は濡れた感じ、あるいは湿った感じを受ける。
【０００３】
特許文献１には、表面を形成する外面布の内面の少なくとも一部に吸水性ポリマーを繊維化せしめた高吸水性、高吸湿性繊維よりなる繊維層を重合、配層し、更に該繊維層上面を柔軟平滑な通水性薄布で被覆して三層構造に構成した吸水性素材が記載されている。
【先行技術文献】
【特許文献】
【０００４】
【特許文献１】登録実用新案公報３０４３３５３号
【考案の概要】
【考案が解決しようとする課題】
【０００５】
従来の綿織物は吸水性に優れるので、布巾や雑巾など吸水のみを目的にする場合には問題がない。しかし、布製身の回り品やタオルケットなど使用者の体に触れるような用途の場合、わずかな水を吸収した場合でもその部分が湿った状態になるという問題がある。また、特許文献１の吸水性素材も、吸水性ポリマーの繊維のように原料自体に吸収性が高いものを使用することによって吸水量を高くできても、その部分に水分がとどまる以上、同文献に謳われるようなさらさら感は得られない。あるいは、高吸水性の繊維層を相当厚くする必要がある。さらに、体に直接触れる層には、触感のよい自然な素材が望まれる。
【０００６】
この考案は、多くの水を吸収することができ、しかも吸水後でも湿った感じがなく、触感のよい吸水性生地を提供することを目的とする。
【課題を解決するための手段】
【０００７】
上述の課題を解決するため、この考案の吸水性生地は、第１外面層と、第２外面層と、第１外面層と第２外面層の間に設けられる中間層を有し、第１外面層と第２外面層は綿のガーゼであり、中間層は吸水性および拡散性の合成繊維の布である。第１外面層と第２外面層はそれぞれ２層の綿のガーゼよりなり、中間層は拡散加工されたポリエステルのマイクロファイバーのパイル織物であることが好ましい。
【考案の効果】
【０００８】
この考案の吸水性生地は、吸水性が高く、しかも吸収された水分が短時間で中間層全体に拡散する。したがって、水に触れた部分も短時間で乾燥した状態になり、吸水した状態でも、体に接する部分はさらさら感を有する。しかも、綿のガーゼの第１外面層と第２外面層は自然な触感を有する。
【図面の簡単な説明】
【０００９】
【図１】吸水性生地を示す断面図である。
【図２】吸水性生地を使用した布製品の例を示す一部断面斜視図である。
【考案を実施するための形態】
【００１０】
この考案を実施するための形態について図面に基づいて説明する。図１は吸水性生地を示す断面図である。
【００１１】
吸水性生地は、第１外面層２と、第２外面層３と、第１外面層２と第２外面層３の間に設けられる中間層４を有する。
【００１２】
第１外面層２と第２外面層３はセルロース系繊維を主な素材とする繊維の織物である。たとえば、綿やレーヨンなどの繊維、あるいはこれらに対しさらに若干の合成繊維を加えた繊維などを平織りにした布地が使用できる。特に、綿糸などの天然繊維を使用することが、自然な触感を得ることから好ましい。ここでは、４０番単糸の綿糸を１００％使用したガーゼであり、通水性・通気性・触感を良くしている。そして、第１外面層２、第２外面層３ともそれぞれ、この綿のガーゼを二重にしており、強度を持たせている。なお、第１外面層２と第２外面層３は同じものでもよく、異なる布地で構成してもよい。
【００１３】
次に、中間層について説明する。中間層４は、吸水性および拡散性の合成繊維の布である。ここで、布とは、織物の外、編物、不織布など、一般的に布として認識されているものを広く含む。しかたって、面状の部材として構成されていない綿状のものなどは含まない。
【００１４】
この中間層２には、第１外面層２および第２外面層３よりも高い吸収性の素材が使用される。たとえば、ナイロンやポリエステルの繊維で、拡散加工されたものが適している。ここでは、１５０デニール（１６７ｄｔｅｘ）／７５フィラメントのポリエステルのマイクロファイバーを経糸・緯糸・上下パイル糸に使用したパイル織物である。そして、このポリエステルの繊維には表面張力を消去する薬剤による拡散加工が施されている。
【００１５】
この第１外面層２、中間層４および第２外面層３を重ね、縁部を縫製などで接続することによって、タオルなどの布製品を形成することができる。タオルケットなど大きな布製品の場合は、さらに内部にもミシン縫いを行って補強してもよい。
【００１６】
この吸水性生地１の中間層４は大量の水を吸収することができる。第１外面層２または第２外面層３に付着した水は、より高い吸水性を有する中間層４に吸収される。この水分は外面層２，３にはほとんど戻らない。そして、高い拡散性によって瞬時に中間層４全体に広がる。したがって、水が付着した部分はすぐに乾燥した状態になる。上述の例では、水滴が落ちてから５〜１０秒程度の短時間で、その落下場所は乾燥した状態になり、触ってもわからないようになる。したがって、多少の汗を吸収しても、さらさら感が長く継続する。しかも、セルロース系の繊維による自然でさわやかな触感を楽しむことができる。また、薄く構成することもでき、たとえばハンカチタオルに適用する場合、通常のハンカチタオルより薄くしても十分な吸水性を得ることができる。
【符号の説明】
【００１７】
１．吸水性生地
２．第１外面層
３．第２外面層
４．中間層
【図１】
0003166417.tif 000003
【図２】
0003166417.tif 000004
(57)【要約】      （修正有）【課題】帽子の印象を変えるとともに、頭部に対するフィット感を満足させるつば付き帽子を提供する。【解決手段】クラウン部２の下端周縁部に環状つば部３の内周縁部を縫製したつば付き帽子１において、クラウン部２に伸縮自在なリング状の飾りバンド４が着脱自在に装着される。これにより、飾りバンド４を装着しない状態と、飾りバンド４を装着した状態とを選択することができることから、外観の印象を変化させることができる。また、飾りバンド４をクラウン部２に装着した際には、その弾性力を利用して頭部に対するクラウン部２のフィット感を高めることができる。【選択図】図２
0003166446.tif 000002
【実用新案登録請求の範囲】
【請求項１】
クラウン部の下端周縁部に環状つば部の内周縁部を縫製したつば付き帽子において、クラウン部に伸縮自在なリング状の飾りバンドが着脱自在に装着されることを特徴とするつば付き帽子。
【考案の詳細な説明】
【技術分野】
【０００１】
この考案は、つば付き帽子に関するものである。
【背景技術】
【０００２】
一般に、つば付き帽子は、頭部に被ることにより、頭部を保護し、日差しを遮って首筋などの日焼けを防止する機能を備えている。そして、つば付き帽子は、メーカーにおいて、色柄模様、デザイン、素材などを組み合わせて製造され、ユーザーは、多種多様な帽子のなかから嗜好や服装、季節などに適合した特定の帽子を選択し、購入している。
【０００３】
なお、帽子に飾りリボンやコサージなどを着脱自在に設け、外観の印象を変化させることも行われている。
【考案の概要】
【考案が解決しようとする課題】
【０００４】
ところで、前述したつば付き帽子を被る場合、ヘアスタイルを変えることによって頭囲に若干長短が発生すると、購入時には適正であった頭部に対するフィット感が異なるものとなる。このため、頭部に対するフィット感が緩くなった場合、風などによって飛ばされるおそれがある。
【０００５】
本考案は、このような問題点に鑑みてなされたもので、外観の印象を変化させるとともに、頭部に対するフィット感を高めることのできるつば付き帽子を提供するものである。
【課題を解決するための手段】
【０００６】
本考案は、クラウン部の下端周縁部に環状つば部の内周縁部を縫製したつば付き帽子において、クラウン部に伸縮自在なリング状の飾りバンドが着脱自在に装着されることを特徴とするものである。
【０００７】
本考案によれば、飾りバンドを装着しない状態と、飾りバンドを装着した状態とを選択することができることから、印象の異なるつば付き帽子を得ることができ、使用範囲を拡大することができる。また、飾りバンドをクラウン部に装着した際には、その弾性力を利用して頭部に対するクラウン部のフィット感を高めることができる。
【考案の効果】
【０００８】
本考案によれば、外観の印象を変化させるとともに、頭部に対するフィット感を高めることができる。
【図面の簡単な説明】
【０００９】
【図１】本考案のつば付き帽子の一実施形態を示す斜視図である。
【図２】図１のつば付き帽子の分解斜視図である。
【考案を実施するための形態】
【００１０】
以下、本考案の実施の形態を図面に基づいて説明する。
【００１１】
図１および図２には、本考案のつば付き帽子１の一実施形態が示されている。
【００１２】
このつば付き帽子１は、クラウン部２の下端周縁部に環状つば部３の内周縁部を一体に縫製して形成されている。そして、つば付き帽子１のクラウン部２には、飾りバンド４が着脱自在に装着されている。
【００１３】
飾りバンド４は、装飾用のリング状帯状布４１と、帯状布４１に止着された飾りリボン４２とからなり、帯状布４１には、一部または全周にわたってゴムバンドなどの伸縮性基材（図示せず）が収容されている。そして、飾りバンド４の帯状布４１は、伸縮性基材の伸びに追従できるように、緩みを持たせた状態で伸縮性基材と一体に縫製されている。
【００１４】
ここで、飾りバンド４の周長は、つば付き帽子１のクラウン部２から離脱させた状態で、頭囲、すなわち、クラウン部２の下端部外周長よりも若干短く設定されている。
【００１５】
なお、飾りバンド４は、形状を含む色柄模様がつば付き帽子１の色柄模様を考慮して、多種多様のデザインが提供されることが好ましい。これにより、季節などに合わせて、選択することができる。
【００１６】
このような飾りバンド４をつば付き帽子１に装着するには、飾りバンド４を伸ばした状態で、頭部に被ったつば付き帽子１のクラウン部２の外周に上方から装着すればよい。
【００１７】
飾りバンド４が装着されたつば付き帽子１においては、飾りバンド４の弾性力によってクラウン部２を介して頭部を緩やかに締め付けることから、つば付き帽子１のフィット感を高めることができるとともに、頭部から簡単に抜け出すことを防止できる。また、つば付き帽子１の外観の印象を変化させることができる。
【００１８】
一方、飾りバンド４は、つば付き帽子１から簡単に抜き出すこともでき、抜き出した飾りバンド４は、カチューシャなどのヘアバンドの一つとして使用することができる他、つば付き帽子１の生地によっては、つば付き帽子１を小さく折り畳み、折り畳んだつば付き帽子の保管用バンドとして巻き付けることもできる。
【００１９】
このように、飾りバンド４をつば付き帽子１のクラウン部２に着脱自在に設けることにより、つば付き帽子１を飾りバンド４を装着した状態と装着しない状態とを選択することができ、服装や気分、環境などに対応した印象の異なる選択が可能となる。また、飾りバンド４をクラウン部２に装着した際には、その弾性力を利用して頭部に対するクラウン部２のフィット感を高めることができる。
【符号の説明】
【００２０】
１  つば付き帽子
２  クラウン部
３  環状つば部
４  飾りバンド
４１  帯状布
４２  飾りリボン
【図１】
0003166446.tif 000003
【図２】
0003166446.tif 000004
(57)【要約】      （修正有）【課題】免震建築構造物における免震支承体のベースプレートに使用する長ナットとアンカーボルトを一体化してなる一体型定着板付アンカーナットを提供する。【解決手段】アンカー部と定着板部を鍛造で一体成型して長ナットを形成し、一体型定着板付アンカーナットとする。さらに直径４０ｍｍから１００ｍｍ、高さ２００ｍｍから４５０ｍｍの円筒形長ナット部分に続き、直径２０ｍｍから５０ｍｍ、長さ１５０ｍｍから２０ｍｍの棒状のアンカー部があり、さらに直径８０ｍｍから１５０ｍｍ、厚さ１０ｍｍから３０ｍｍの円盤状の定着板部を持つ形状とする。また、長ナット部とアンカー部及び定着板部との境界を内Ｒ形状にして、強度向上を図っても良い。【選択図】図１
0003166480.tif 000002
【実用新案登録請求の範囲】
【請求項１】
長ナット部に、鍛造で一体成型されたアンカー部と定着板部を有する長ナット。
ここで言う長ナット部とは、直径４０ｍｍから１００ｍｍ、高さ２００ｍｍから４５０ｍｍの円筒形長ナットであり、定着板部とは直径８０ｍｍから１５０ｍｍ、厚さ１０ｍｍから３０ｍｍの円盤状の鉄板である。アンカー部とは直径２０ｍｍから５０ｍｍ、長さ１５０ｍｍから２００ｍｍの棒状鋼材である。長ナット部とアンカー部及び定着板部は、それぞれの円の中心を一致させた位置において、接合された形状となっている。
【請求項２】
袋長ナット部とンカー部及び定着板部との境界が内Ｒ形状になっている請求項１記載の袋長ナット。
【考案の詳細な説明】
【技術分野】
【０００１】この考案は免震建築構造物における、免震支承体のベースプレートに使用する長ナットおよびアンカーボルトに関するものである。
【背景技術】
【０００２】免震支承体ベースプレートに使用する長ナットには、引き抜き力に対する抵抗力を高めるため、アンカーボルトをネジ止めしたものがある。従来は、先端に定着板をロックナットでとめている。
【考案の概要】
【考案が解決しようとする課題】
【０００３】従来品の場合、長ナット・アンカーボルト・ロックナットの既成品を用意し、必要な大きさに打ち抜いた鋼板をネジ止めしなければならない。長ナットの製作、定着板の製作、定着板の位置決めのためのネジ止めと最低３工程必要であり、手間とコストがかかる。
【課題を解決するための手段】
【０００４】長ナットにアンカーボルト・ロックナットにて定着板ネジ止めして製作していたものを、鍛造により一体成型する。
長ナット部とアンカー部及び定着板部の境界域に内Ｒを設ける。
【考案の効果】
【０００５】長ナットに定着板をネジ止めする場合に比べ、鍛造による一体成型の場合、工程数が少ない分、手間とコストが削減される。
ネジ止めに比べ鍛造による一体構造のために、地震の引き抜き力に抵抗する力が増す。
また、長ナット部と定着板部の境界域に内Ｒを設けることで、まっすぐ成型した場合に比べ、引き抜き力に対する抵抗力をさらに高める。
【考案を実施するための形態】
【実施例】
【０００６】長ナットにアンカー・定着板が一体に形成された構造である。
また、長ナット部とアンカー部及び定着板部の境界域に内Ｒを設けている。
【図面の簡単な説明】
【０００６】
【図１】一体型定着板付アンカー長ナットの正面図である。長ナットにアンカーと定着板が一体に形成された構造である。
【図２】従来品の正面図。長ナットにアンカーボルトと定着板をネジ止めしたものである。
【図３】一体型定着板付アンカー長ナットであって、内Ｒのない形態。内Ｒのあるものに比べ、引き抜き力に対する抵抗力が低い。
【符号の説明】
【０００７】Ａ：長ナット部
Ｂ：定着板部
Ｃ：内Ｒ部
Ｄ：長ナット（既製品）
Ｅ：定着板
【図１】
0003166480.tif 000003
【図２】
0003166480.tif 000004
【図３】
0003166480.tif 000005
【手続補正書】
【提出日】平成22年12月6日(2010.12.6)
【手続補正１】
【補正対象書類名】実用新案登録請求の範囲
【補正対象項目名】全文
【補正方法】変更
【補正の内容】
【実用新案登録請求の範囲】
【請求項１】
一体型定着板付アンカーナットとは、鍛造で一体成型されたアンカー部と定着板部を有する長ナットであり、
直径４０ｍｍから１００ｍｍ、高さ２００ｍｍから４５０ｍｍの円筒形長ナット部分に続き、直径２０ｍｍから５０ｍｍ、長さ１５０ｍｍから２０ｍｍの棒状のアンカー部があり、さらに直径８０ｍｍから１５０ｍｍ、厚さ１０ｍｍから３０ｍｍの円盤状の定着板部を持つ形状となった物である。
【請求項２】
長ナット部とアンカー部及び定着板部との境界が内Ｒ形状になっている請求項１記載の一体型定着板付アンカーナット。
(57)【要約】      （修正有）【課題】糞を簡単に拾いトイレ袋に入れることが出来る、犬の携帯トイレを提供する。【解決手段】Ｖ字二又の左右対称の弾力性ある帯状のフレーム１の両端上側に、細長い部材を下方に開口したコ字状の形状とした二角山形の部材２を固定し、コ字状の部分の中間付近のフレーム下側とトイレ袋Ａの先端を挟み固定する溝を持ち、Ｖ字の両方向のフレーム中間に回転軸４を持ったクランプ付きアーム３を配備し、トイレ袋をフレーム内側より入れ、二角山形の部材上で外側に折返してトイレ袋の先端をフレーム下側より外側に折返して、それをフレームにクランプ付きアームで挟んで固定出来る。【選択図】図１
0003166479.tif 000002
【実用新案登録請求の範囲】
【請求項１】
Ｖ字二又の左右対称の弾力性ある帯状のフレーム（１）の両端に二角山形の部材（２）を設け、その部材にトイレ袋（Ａ）をフレームの内側より入れ、袋の先端を裏返しにして、フレーム（１）に挟み固定するように、クランプ付きアーム（３）を設けたことを特徴とする犬の携帯トイレ。
【請求項２】
クランプ付きアーム（３）を紙バサミにしたことを特徴とする請求項１記載の犬の携帯トイレ。
【考案の詳細な説明】
【考案の詳細な説明】
【技術分野】
【０００１】犬の散歩の携帯トイレに関する。
【背景技術】
【０００２】  犬の糞は拾うのが普通である。従来の技術として、糞を地上に落ちる前に用具を地上に置き糞を受け取る方法があり、実用新案公開平０７−０３４６５２実用新案公開平０６−０７０５５３の案がある。
【考案が解決しようとする課題】
【０００３】  犬が糞をした後に、糞を拾う方法だと草むらであった場合には十分に拾うことことが出来ないことや、手間がかかることがある。糞を地上に用具を置き受ける方法は、地上平面の形状に左右される可能性がある。そこで地上平面の状態に左右されない方法が必要である。また受けたトイレの中の糞を簡単に処理する方法が必要であり、それに答える簡単な用具の要望に答えるものである。
【課題を解決する為の手段】
【０００４】    その構造を説明する。
Ｖ字二又の左右対称の弾力性あるフレーム（１）の両先端に、二角山形の部材（２）を設ける。その山形の中心付近のフレームにトイレ袋（Ａ）を挟むクランプ付きアーム（３）を回転軸でフレーム上に設ける。回転軸は抵抗ある軸とする。そして二角山形の部材はフレームを１８０度反転した際に、犬の糞を挟んでも大丈夫な強度を持つものとする。
【０００５】トイレ袋（Ａ）はフレームに設けた二角山形の部材（２）に、フレーム内側よりトイレ袋の先端を裏返しにしてフレーム（１）にクランプ付きアーム（３）の切り欠き部分で挟んで固定する。
【考案を実施するための形態】
【０００６】  以下、添付図面に従って実施例を説明する。
Ｖ字の二又の左右対称の弾力性のあるフレーム（１）の両先端に、二角山形の部材（２）を設ける。その山形の中心付近のフレームにトイレ袋（Ａ）を挟むクランプ付きアーム（３）を回転軸でフレーム上に設ける。
弾力性あるフレームは犬の股間の大小が調整に適応した構造となり、地上の空中でも糞を受けることが可能となる。
【０００７】  トイレ袋の入り口側で糞を摘んで１８０度反転することで糞は簡単にトイレ袋の中に拾い入れることが出来る。
【０００８】トイレ袋（Ａ）はフレームに設けた二角山形の部材（２）に、フレーム内側よりトイレ袋の先端を裏返しにしてフレーム（１）にクランプ付きアーム（３）の切り欠き部分で挟んで固定する。回転軸は抵抗あるものとする。
トイレ袋（Ａ）は二角山形より外す際は、トイレ袋が裏返しに付いているのが表返しになり直接汚物に、手をする事無く外すことが可能となる。
【０００９】クランプ付きアーム（３）を市販の紙ばさみにしても目的を達成出来る。
【考案の効果】
１、犬が糞をする際、糞が地上に落ちる前に携帯トイレで受けるので、地上を汚さずに済む。また草むらでも障害はない。
２、トイレ袋がゴミ袋を使用で出来るので経済的であり、後処理が容易となった。
３、既に落ちている糞を、簡単にトイレ袋の中に入れ拾うことが出来る。
【図面の簡単な説明】
【図１】  トイレ袋を取り付けた後の側面図
【図２】  トイレ袋を取り付けた後の平面図
【図３】  トイレ袋クランプ前状態図
【図４】  犬の携帯トイレの使用状態図
【符号の説明】Ａ、トイレ袋
Ｂ、犬
１、フレーム
２、部材
３、クランプ付きアーム
４、回転軸
【図１】
0003166479.tif 000003
【図２】
0003166479.tif 000004
【図３】
0003166479.tif 000005
【図４】
0003166479.tif 000006
【手続補正書】
【提出日】平成22年12月2日(2010.12.2)
【手続補正１】
【補正対象書類名】実用新案登録請求の範囲
【補正対象項目名】全文
【補正方法】変更
【補正の内容】
【実用新案登録請求の範囲】
【請求項１】
Ｖ字二又の左右対称の弾力性ある帯状のフレーム（１）の両端上側に、細長い部材を下方に開口したコ字状の形状とした二角山形の部材（２）を固定し、コ字状の部分の中間付近のフレーム下側とトイレ袋（Ａ）の先端を挟み固定する溝を持ち、Ｖ字の両方向のフレーム中間に回転軸（４）を持ったクランプ付きアーム（３）を配備し、トイレ袋をフレーム内側より入れ、二角山形の部材上で外側に折返してトイレ袋の先端をフレーム下側より外側に折返して、それをフレームにクランプ付きアームで挟んで固定出来ることを特徴とする犬の携帯トイレ。
【手続補正２】
【補正対象書類名】明細書
【補正対象項目名】０００４
【補正方法】変更
【補正の内容】
【０００４】
【課題を解決する為の手段】
その構造を説明する。
Ｖ字二又の左右対称の弾力性ある帯状のフレーム（１）の両端上側に、細長い部材を下方に開口したコ字状の形状とした二角山形の部材（２）を固定する。
コ字状の部分の中間付近のフレーム下側とトイレ袋（Ａ）の先端を挟み固定する溝を持ち、Ｖ字の両方向のフレーム中間に回転軸（４）を持ったクランプ付きアーム（３）を配備する。
二角山形の部材はフレームを１８０度反転した際に、犬の糞を挟んでも大丈夫な強度を持つものとする。
【手続補正３】
【補正対象書類名】明細書
【補正対象項目名】０００６
【補正方法】変更
【補正の内容】
【０００６】
【考案の実施の形態】
以下、添付図面に従って実施例を説明する。
Ｖ字二又の左右対称の弾力性ある帯状のフレーム（１）の両端上側に、細長い部材を下方に開口したコ字状の形状とした二角山形の部材（２）を固定する。
コ字状の部分の中間付近のフレーム下側とトイレ袋（Ａ）の先端を挟み固定する溝を持ち、Ｖ字の両方向のフレーム中間に回転軸（４）を持ったクランプ付きアーム（３）を配備する。
弾力性あるフレームは、犬の股間の大小の調整に適した構造となり、地上の中空でも糞を受けることが可能となる。
(57)【要約】      （修正有）【課題】銅の殺菌効果により衛生的であり、安価に製作が可能な銅板付き花立てを提供する。【解決手段】本体１内部下方に、銅板３を成形した円筒を圧入で固定させる。【選択図】図３
0003166477.tif 000002
【実用新案登録請求の範囲】
【請求項１】
本体１円筒内部に銅板３を取り付ける事により、ぼうふら等の害虫駆除等の殺菌に効果を発揮でき、且つ硬貨盗難等に対応可能な事を特徴とする銅板付き花立て。
【考案の詳細な説明】
【技術分野】
【０００１】
本考案は墓前用の花立てに関するものである。
【背景技術】
【０００２】
従来から墓石用花立てで真鍮製等の花立ては存在していたが、全真鍮製は銅イオンによる殺菌効果は発揮されるが、価格が非常に高額になるため中々普及しなかった。
【０００３】
墓石用花立てに１０円硬貨を入れる事でも同様の銅イオン効果を発揮出来るが、硬貨であるので抵抗があるのと盗難の可能性が発生した。
【特許文献１】特開２０１０−８３８５１号公報
【考案の開示】
【考案が解決しようとする課題】
【０００４】
花立て内の水は循環していないのが殆どであり、長期間放置すると溜まった水が腐敗して悪臭を発生させたり、ぼうふら等の害虫が発生し衛生上問題があった。
【課題を解決するための手段】
【０００５】
本考案では本体１円筒内部に予め、銅板３を本体１円筒内寸法より若干小径の円筒状に成形しておき、本体１の円筒内部に圧入することにより紛失を防止し、且つ全真鍮製ではないので価格も安価に製作が可能となる。
【考案の効果】
【０００６】
本体１内部に銅板を固定させ、銅の殺菌効果により従来の花立てよりさらに衛生、環境配慮し害虫対策等に効果を発揮でき、全真鍮製花立てより安価に製作が可能であり利用者の利便性が向上する。
【考案を実施するための最良の形態】
【０００７】
本考案を実施するための最良の形態は図面をもって説明する。
【０００８】
図３の様に本体１内部下方に銅板３が固定されていることにより、銅イオンの殺菌効果を利用し害虫等の発生を抑える事が出来き、お墓の花立てに１０円硬貨を入れる事と同様の効果では有るが、硬貨では花立てに入れておいた筈の硬貨が盗難に遭う可能もあり、仮に盗難に遭った場合には銅の殺菌効果が発揮されないが、本考案の銅板付き花立ては銅板３が本体１に圧入でしっかりはまり込み固定されている為、盗難防止になるばかりか硬貨ではないので盗難される可能性は極めて低いため銅イオン効果は保持される。
【図面の簡単な説明】
【０００９】
【図１】本体正面図
【図２】斜視図
【図３】断面図
【符号の説明】
【００１０】
１    本体
２    ツバ
３    銅板
【図１】
0003166477.tif 000003
【図２】
0003166477.tif 000004
【図３】
0003166477.tif 000005
【手続補正書】
【提出日】平成22年10月30日(2010.10.30)
【手続補正１】
【補正対象書類名】実用新案登録請求の範囲
【補正対象項目名】全文
【補正方法】変更
【補正の内容】
【実用新案登録請求の範囲】
【請求項１】
本体１円筒内部に本体１円筒内径より若干大径の銅板３を本体１上方開口部より圧入で本体１内部に取り付け固定させる事により、ぼうふら等の害虫駆除等の殺菌に効果を発揮でき、且つ硬貨盗難等に対応可能な事を特徴とする銅板付き花立て。
【手続補正２】
【補正対象書類名】明細書
【補正対象項目名】０００５
【補正方法】変更
【補正の内容】
【０００５】
本考案では予め、銅板３を本体１円筒内径寸法より若干大径の円筒状に成形しておき、本体１の円筒内部に本体１上方開口部より圧入することにより本体１内部に取り付け固定させる事により紛失を防止し、且つ全真鍮製ではないので価格も安価に製作が可能となる。
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
本体円筒内部に、本体円筒内径より若干大径の銅板を成形した円筒を、本体上方開口部より圧入で本体円筒内部に取り付け固定させる事により、ぼうふら等の害虫駆除等の殺菌に効果を発揮でき、且つ硬貨盗難等に対応可能な事を特徴とする銅板付き花立て。
(57)【要約】      （修正有）【課題】積雪や降灰時に太陽光発電パネル表面を簡単に安全に清掃でき光発電量を維持できる可動式太陽光発電パネルを提供する。【解決手段】相対するレール付柱１に接合した相対するレール付梁５をレール無し柱２及び梁を用いて四方に組立て、太陽光発電パネル９設置屋根部７左右側面前後又は左右側面付近前後に可動車を配置する。レール付柱上で左右前部可動車は上下に動きレール付梁上では左右後部可動車が前後に動くことで、レール付柱上で左右前部可動車を地上方向へ動かすと左右後部可動車は前方へ移動して太陽光発電パネル９全体を傾斜させることで清掃負担の軽減を図ることができる。【選択図】図５
0003166474.tif 000002
【実用新案登録請求の範囲】
【請求項１】
太陽光発電パネル設置屋根部を柱と梁上で可動するように乗せ、太陽光発電パネル設置屋根部の一辺を地面方向に降ろす事で太陽光発電パネル全体が傾斜して地面に近づき地上から清掃出来ることを特徴とする可動式太陽光発電パネル。
【考案の詳細な説明】
【技術分野】
【０００１】  本考案は、太陽光発電パネル表面を簡単に安全に清掃でき高発電量を維持できる可動式太陽光発電パネルに関する。
【背景技術】
【０００２】  従来の太陽光発電パネルは表面汚れ等による発電量低下に問題があり、特開２００８−２１６８３で示すようにワイパーや振動及び傾斜を使って降り積もった灰や砂などを清掃するのであるが積雪には対応できない。また汚れて発電量が低下してから行なわれるものであり、結果として清掃度合いが低い。システムとして高額でありメンテナンスコストも掛かる。実願２００９−６９６４は太陽光入射角度の調整用であり降灰や積雪での発電量低下時の清掃は屋根に上る必要があり危険な作業となる。
出願番号  特開２００８−２１６８３
出願番号  実願２００９−６９６４
【考案の開示】
【考案が解決しようとする課題】
【０００３】  しかしながら、発電量低下を防ぐ為には常に発電パネルを清掃する必要があり屋根設置型は高所で危険を伴うなど欠点があった。
【課題を解決するための手段】
【０００４】  本考案は、柱と梁で四方に組み立て、左右前柱と後柱に平行に架かる左右梁にレールを対象位置に向い合わせて固定する。そして太陽光発電パネルを設置した屋根部左右側面に可動車を前後に付けてレール付柱と梁上で可動するように乗せ込む事で上記課題を解決するものである。
【考案の効果】
【０００５】  本考案に係わる可動式太陽光発電パネルは、レール付柱上で上下に動き、またレール付梁上では前後に動くのでレール付柱を使い太陽光発電パネル設置屋根部一辺を地面方向に降ろす事で太陽光発電パネル設置屋根部は傾斜しながら地面に近づき止る。急勾配が付いた太陽光発電パネルは人が地上から簡素な清掃道具を用いて安全に丁寧に清掃出来る。また降雪、降灰などの情報を事前に得ることで予め急勾配にしておき清掃の負担を軽くする事が出来る。以上のような事で今まで普及率が低かった積雪する地域や降灰のある地域でも広く利用されるものである。
【考案を実施するための最良の形態】
【０００６】  図１に示されるように、前柱１にレール４と梁３にレール５が取り付けてある。【０００７】  図２に示されるように、太陽光発電パネル９を設置した屋根部７に可動車８が取り付けてある。【０００８】  図３に示されるように、前柱１と梁３に付けたレール４、５を使い太陽光発電パネル９を設置した屋根部７を乗せ込み、前柱１上で上下方向１３に梁３上で前後方向１４に動く。【０００９】  図４に示されるように、前柱１と梁３にあるレール４、５を使い太陽光発電パネル９を設置した屋根部７を地面１２方向に傾斜を付けて降ろしたところである。【００１０】  図５に示されるように、屋根部７を地面１２方向に降ろして急勾配の付いた太陽光発電パネル９を地面１２に立った人物１０が清掃道具１１を使い清掃しているところである。
【図面の簡単な説明】
【００１１】
【図１】正面図である。
【図２】太陽光発電パネル及び屋根部の平面図である。
【図３】太陽光発電パネル付き屋根部と柱、梁の立体図である。
【図４】太陽光発電パネル付き屋根部地面方向に降ろした正面図である。
【図５】傾斜した太陽光発電パネルを清掃している図である。
【符号の説明】
【００１２】１・・・・前柱
２・・・・後柱
３・・・・前柱から後柱に架かる梁
４・・・・前柱レール
５・・・・梁レール
６・・・・前柱左右と後柱左右に架かる梁
７・・・・屋根部
８・・・・可動車
９・・・・太陽光発電パネル
１０・・・人物
１１・・・清掃道具
１２・・・地面
１３・・・上下可動方向矢印
１４・・・前後可動方向矢印
【図１】
0003166474.tif 000003
【図２】
0003166474.tif 000004
【図３】
0003166474.tif 000005
【図４】
0003166474.tif 000006
【図５】
0003166474.tif 000007
【手続補正書】
【提出日】平成22年11月30日(2010.11.30)
【手続補正１】
【補正対象書類名】実用新案登録請求の範囲
【補正対象項目名】全文
【補正方法】変更
【補正の内容】
【実用新案登録請求の範囲】
【請求項１】
相対するレール付柱に接合した相対するレール付梁をレール無し柱及び梁を用いて四方に組立て、太陽光発電パネル設置屋根部左右側面前後又は左右側面付近前後に可動車を配し、レール付柱上で左右前部可動車は上下に動きレール付梁上では左右後部可動車が前後に動くことで、レール付柱上で左右前部可動車を地上方向へ動かすと左右後部可動車は前方へ移動して太陽光発電パネル全体が傾斜することを特徴とする可動式太陽光発電パネル。
(57)【要約】      （修正有）【課題】名前、誕生日を刻印し作成時の手形足形を半永久的に保管でき、またポストカードやノート等に直に押印して新たな記念品を作成できる手形足形スタンプを提供する。【解決手段】情報記載部を有する台座部３に結合ねじで取手部４を取り付け、それに手形、足形を彫刻した印材部１を両面接着スポンジ２で張り合わせたものからなる。【選択図】図１
0003166476.tif 000002
【実用新案登録請求の範囲】
【請求項１】
プラスチック等適宣素材からなる手形、足形の形状のパーツと、結合ねじ、取手部で構成された印台部の表面に誕生日記載部および名前・身長・体重等の情報記載部をレーザー光にて彫刻するとともに、紙等の平面に捺した手形、足形等の任意の形状をレーザー光で再現彫刻、切り抜いた印材をそれと相似形の両面接着スポンジ及び、印台部の一端に張り合わせて形成されている手形足形スタンプ。
【考案の詳細な説明】
【技術分野】
【０００１】  本考案は、装飾品、記念品としても価値を発揮するスタンプに関する。
【背景技術】
【０００２】  従来、赤ちゃんの生誕時や、功績や偉業を認められた時の記念として、手形や足形を色紙、粘土等に採ってそれらを額縁やフォトフレーム等の据え置き型のディスプレイに納め記念品として飾っておくことがある。
【先行技術文献】
【０００３】
【特許文献１】  特開２００７ー２９５８１号公報
【特許文献２】  実用新案登録第３０５４４６５号公報
【考案の概要】
【考案が解決しようとする課題】
【０００４】  しかし、上記のようにすると、額縁やフォトフレームの大きさにより置き場所を取られる事があり、またそれらの状態では持ち運んだりする事が困難であり、遠方に住む親戚や知人等に見せたり、喜びを共有する事が出来なかった。
本考案は、このような問題を解消できる新規な記念品を提供する事を目的としている。
【課題を解決するための手段】
【０００５】  本考案は、プラスチック等適宣素材からなる手形、足形の形状のパーツと、結合ねじ、取手部で構成された印台部の表面に誕生日記載部および名前・身長・体重等の情報記載部をレーザー光にて彫刻するとともに、紙等の平面に捺した手形、足形等の任意の形状をレーザー光で再現彫刻、切り抜いた印材をそれと相似形の両面接着スポンジ及び、印台部の一端に張り合わせて形成することにより問題点を解決している。
【考案の効果】
【０００６】  上記のように、本考案の手形足形スタンプは装飾品や記念品として保管しておけることは勿論、スタンプの形状に構成されているので、誕生のお知らせや挨拶等の手紙に捺して送る等、捺したものが新たな記念品として付加価値を持つという効果がある。
【図面の簡単な説明】
【０００７】
【図１】本考案に係るスタンプの斜視図である。
【図２】本考案に係るスタンプの正面図である。
【図３】本考案に係るスタンプを右側面から見た断面図である。
【考案を実施するための形態】
【０００８】  レーザー光で彫刻された情報記載部５を有する台座部３に結合ねじ６で取手部４を取り付け、その一端に手形、足形をレーザー光で彫刻した印材部１を両面接着スポンジ２で張り合わせたものからなる。上記構成において、台座部３、取手部４には耐久性のプラスチック等適宣素材を使用し、印章部１にはゴム等適宣素材を使用する。
【符号の説明】
【０００９】１、印材部
２、両面接着スポンジ
３、台座部
４、取手部
５、情報記載部
６、結合ねじ
【図１】
0003166476.tif 000003
【図２】
0003166476.tif 000004
【図３】
0003166476.tif 000005